(57)【要約】【課題】指先の感触及びグリップ感がよいだけでなく、フィッティングも良好な縫製手袋を提供する。【解決手段】縫製手袋１は、手の五指に対応する各指片をそれぞれ備えた甲側パーツ１３と、掌側パーツ７と、所定の指側部に対応するマチ１４〜２０とを、所定部位で縫合してなり、五指のうち中指、薬指及び小指の３指に対応する前記掌側の各指片４〜６を、それぞれ甲側の対応する指片１０〜１２より長く形成するとともに、前記３指に対応する掌側の各指片４〜６の先端両側にそれぞれ斜め外側に延びる延長部４ａ，４ｂ，５ａ，５ｂ，６ａ，６ｂを設け、前記３指に対応する掌側の各指片４〜６をその先端より基端側で折り返し、前記各両延長部４ａ，４ｂ，５ａ，５ｂ，６ａ，６ｂを甲側の対応する各指片１０〜１２の先端縁とマチ１５〜２０に縫合して指挿入部を形成することによって、前記三指に対応する各指片の先端縫合部Ａを挿入する指の爪側にずらす。【選択図】図８
2006070387.tif 000002
【特許請求の範囲】
【請求項１】
手の五指に対応する各指片をそれぞれ備えた甲側パーツと、掌側パーツと、所定の指側部に対応するマチとを、所定部位で縫合してなる縫製手袋であって、五指のうち所定の指に対応する前記掌側の指片を、前記甲側の対応する指片より長く形成するとともに、前記掌側の長く形成した指片先端両側にそれぞれ斜め外側に延びる延長部を設け、前記掌側の前記指片をその先端より基端側で折り返し、前記両延長部を甲側の対応する指片の先端縁とマチに縫合して指挿入部を形成することによって、前記延長部を設けた指片の先端縫合部を挿入する指の爪側にずらしたことを特徴とする指先に縫合部が当たらない縫製手袋。
【請求項２】
手の五指に対応する各指片をそれぞれ備えた甲側パーツと、掌側パーツと、所定の指側部に対応するマチとを、所定部位で縫合してなる縫製手袋であって、五指のうち中指、薬指及び小指の三指に対応する前記掌側の各指片を、それぞれ前記甲側の対応する指片より長く形成するとともに、前記三指に対応する掌側の各指片の先端両側にそれぞれ斜め外側に延びる延長部を設け、前記三指に対応する掌側の各指片をその先端より基端側で折り返し、前記各両延長部を甲側の指片の対応する先端縁とマチに縫合して指挿入部を形成することによって、前記三指に対応する各指片の先端縫合部を挿入する指の爪側にずらしたことを特徴とする指先に縫合部が当たらない縫製手袋。
【請求項３】
手の五指に対応する各指片をそれぞれ備えた甲側パーツと、掌側パーツと、所定の指側部に対応するマチとを、所定部位で縫合してなる縫製手袋であって、五指のうち親指に対応する前記掌側の指片を、前記甲側の対応する指片より長く形成するとともに、前記親指に対応する掌側の指片先端両側にそれぞれ斜め外側に延びる延長部を設け、前記親指に対応する掌側の指片をその先端より基端側で折り返し、前記両延長部を甲側の対応する指片の先端縁とマチに縫合して指挿入部を形成することによって、前記親指に対応する指片の先端縫合部を所定の指の爪側にずらしたことを特徴とする指先に縫合部が当たらない縫製手袋。
【請求項４】
手の五指に対応する各指片をそれぞれ備えた甲側パーツと、掌側パーツと、所定の指側部に対応するマチとを、所定部位で縫合してなる縫製手袋であって、五指のうち親指及び人指し指の二指に対応する前記掌側の各指片を、前記甲側の対応する指片より長く形成するとともに、前記二指に対応する掌側の各指片先端両側にそれぞれ斜め外側に延びる延長部を設け、前記二指に対応する掌側の前記各指片をその先端より基端側で折り返し、前記各両延長部を甲側の対応する各指片先端縁とマチに縫合して指挿入部を形成することによって、前記二指に対応する指片の先端縫合部を所定の指の爪側にずらしたことを特徴とする指先に縫合部が当たらない縫製手袋。
【発明の詳細な説明】
【技術分野】
【０００１】
本発明は、グリップ感とフィッティングが重視されるゴルフ、野球などの運動用手袋やオートバイ用手袋などに適用すると好適な指先に縫合部が当たらない縫製手袋に関するものである。
【背景技術】
【０００２】
従来、縫製手袋において、手の各指に対応する指挿入部は、掌側の指片と甲側の指片を縫合することによって形成し、前記縫合部は、手の各指先に対応位置していた。
【特許文献１】特開平０８−０８４７９９号公報
【発明の開示】
【発明が解決しようとする課題】
【０００３】
前記従来の縫製手袋は、縫合部が指先に当たるため、ゴルフクラブなどをグリップしたときに指先が圧迫され、違和感を感じ、グリップ感覚が悪いだけでなく、フィッティングもしにくいという問題があった。
【課題を解決するための手段】
【０００４】
請求項１に記載の本発明は、手の五指に対応する各指片をそれぞれ備えた甲側パーツと、掌側パーツと、所定の指側部に対応するマチとを、所定部位で縫合してなる縫製手袋であって、五指のうち所定の指に対応する前記掌側の指片を、前記甲側の対応する指片より長く形成するとともに、前記掌側の長く形成した指片先端両側にそれぞれ斜め外側に延びる延長部を設け、前記掌側の前記指片をその先端より基端側で折り返し、前記両延長部を甲側の対応する指片の先端縁とマチに縫合して指挿入部を形成することによって、前記延長部を設けた指片の先端縫合部を挿入する指の爪側にずらしたことを特徴とするものである。
【０００５】
請求項２に記載の本発明は、手の五指に対応する各指片をそれぞれ備えた甲側パーツと、掌側パーツと、所定の指側部に対応するマチとを、所定部位で縫合してなる縫製手袋であって、五指のうち中指、薬指及び小指の三指に対応する前記掌側の各指片を、それぞれ前記甲側の対応する指片より長く形成するとともに、前記三指に対応する掌側の各指片の先端両側にそれぞれ斜め外側に延びる延長部を設け、前記三指に対応する掌側の各指片をその先端より基端側で折り返し、前記各両延長部を甲側の指片の対応する先端縁とマチに縫合して指挿入部を形成することによって、前記三指に対応する各指片の先端縫合部を挿入する指の爪側にずらしたことを特徴とするものである。
【０００６】
請求項３に記載の本発明は、手の五指に対応する各指片をそれぞれ備えた甲側パーツと、掌側パーツと、所定の指側部に対応するマチとを、所定部位で縫合してなる縫製手袋であって、五指のうち親指に対応する前記掌側の指片を、前記甲側の対応する指片より長く形成するとともに、前記親指に対応する掌側の指片先端両側にそれぞれ斜め外側に延びる延長部を設け、前記親指に対応する掌側の指片をその先端より基端側で折り返し、前記両延長部を甲側の対応する指片の先端縁とマチに縫合して指挿入部を形成することによって、前記親指に対応する指片の先端縫合部を所定の指の爪側にずらしたことを特徴とするものである。
【０００７】
請求項４に記載の本発明は、手の五指に対応する各指片をそれぞれ備えた甲側パーツと、掌側パーツと、所定の指側部に対応するマチとを、所定部位で縫合してなる縫製手袋であって、五指のうち親指及び人指し指の二指に対応する前記掌側の各指片を、前記甲側の対応する指片より長く形成するとともに、前記二指に対応する掌側の各指片先端両側にそれぞれ斜め外側に延びる延長部を設け、前記二指に対応する掌側の前記各指片をその先端より基端側で折り返し、前記各両延長部を甲側の対応する各指片先端縁とマチに縫合して指挿入部を形成することによって、前記二指に対応する指片の先端縫合部を所定の指の爪側にずらしたことを特徴とするものである。
【発明の効果】
【０００８】
以上のように、請求項１に記載の本発明の縫製手袋は、例えば、オートバイのハンドルやゴルフクラブなどを握ったときに、一本〜五本の所定の指の指先が縫合部に当たらないので、前記指先の感触及びグリップ感がよいだけでなく、フィッティングも良好であるという効果を奏する。
【０００９】
また、請求項２に記載の本発明の縫製手袋は、中指、薬指及び小指の各指先が縫合部に当たらないので、グリップしたときに、前記各指先の感触及びグリップ感がよいだけでなく、フィッティングも良好でり、特に、前記三指の感覚が重視されるゴルフように好適であるという効果を奏する。
【００１０】
また、請求項３に記載の本発明の縫製手袋は、親指の指先が縫合部に当たらないので、グリップしたときに、前記指先の感触及びグリップ感がよいだけでなく、フィッティングも良好であり、特に、親指の感覚が重視されるゴルフ用に好適であるという効果を奏する。
【００１１】
また、請求項４に記載の本発明の縫製手袋は、親指及び人指し指の各指先が縫合部に当たらないので、グリップしたときに、前記各指先の感触及びグリップ感がよいだけでなく、フィッティングも良好であり、特に前記二指の感覚が重視されるオートバイ用等に好適であるという効果を奏する。
【発明を実施するための最良の形態】
【００１２】
次に、本発明をゴルフ用の縫製手袋に適用した好適な実施形態を詳細に添付図面に基づいて説明する。ここにおいて、図１は掌側を示す縫製手袋の斜視図、図２は甲側を示す縫製手袋の斜視図、図３は中指挿入部の側面図、図４は使用状態における中指挿入部の縦断端面図、図５は掌側パーツの正面図、図６は甲側パーツの正面図、図７は掌側パーツにマチを縫合する前の状態を示す正面図、図８はマチを縫合した掌側パーツと甲側パーツを縫合する前の状態を示す正面図である。
【００１３】
図１〜図８に示すように、縫製手袋１は、手の五指に対応する掌側親指片２、掌側人指し指片３、掌側中指片４、掌側薬指片５及び掌側小指片６を備えた掌側パーツ７と、同じく手の五指に対応する甲側親指片８、甲側人指し指片９、甲側中指片１０、甲側薬指片１１及び甲側小指片１２を備えた甲側パーツ１３と、人指し指用マチ１４と、中指用第１マチ１５と、中指用第２マチ１６と、薬指用第１マチ１７と、薬指用第２マチ１８と、小指用第１マチ１９と、小指用第２マチ２０とを所定部位で縫合してなる。
【００１４】
図８に示すように、掌側中指片４、掌側薬指片５及び掌側小指片６は、それぞれ前記甲側中指片１０、甲側薬指片１１及び甲側小指片１２よりそれぞれ長尺に形成するとともに、前記掌側中指片４、掌側薬指片５及び掌側小指片６の各先端両側にそれぞれ斜め外側に延びる延長部４ａ，４ｂ、延長部５ａ，５ｂ、延長部６ａ，６ｂを設ける。
【００１５】
図６に示すように、甲側中指片１０、甲側薬指片１１及び甲側小指片１２の各先端縁には、それぞれ前記掌側中指片４、掌側薬指片５及び掌側小指片６の延長部４ａ，４ｂ，５ａ，５ｂ，６ａ，６ｃに縫合したときに中指挿入部２１、薬指挿入部２２及び小指挿入部２３の形状を整えるために幅を若干狭く形成する。また、図１、図３、図７に示すように、掌側親指片２と甲側親指片８で構成する親指挿入部２４両側部と、掌側人指し指片３と甲側人指し指片９で構成する人指し指挿入部２５の親指側の側部とには、マチを設けない。
【００１６】
図７に示すように、人指し指用マチ１４と中指用第１マチ１５、連結片中指用第２マチ１６と薬指用第１マチ１７、薬指用第２マチ１８と小指用第１マチ１９は、それぞれ連結片２６を介して連結する。
【００１７】
次に、上記縫製手袋１の縫製工程を、添付図面の図７及び図８に基づいて順次説明する。
【００１８】
（工程１）図７に示すように、掌側パーツ７において、連結片２６で各端部どうしを連結した人指し指用マチ１４及び中指用第１マチ１５を、掌側人指し指片３と掌側中指片４の各側部に、また、連結片２６で各端部どうしを連結した中指用第２マチ１６及び薬指用第１マチ１７を、掌側中指片４と掌側薬指片５の各側部に、また、連結片２６で各端部どうしを連結した薬指用第２マチ１８及び小指用第１マチ１９を、掌側薬指片５と掌側小指片６の各側縁に、また、小指用第２マチ２０を、掌側小指片６の外側部に、それぞれ縫合線２７で縫合する。
【００１９】
（工程２）図８に示すように、工程１で縫合加工したものの人指し指用マチ１４側縁と甲側人指し指片９の一方の側縁とを、また、中指用第１マチ１５の側縁と甲側中指片１０の一方の側縁とを、また、中指用第２マチ１６側縁と甲側中指片１０の他方の側縁とを、また、薬指用第１マチ１７側縁と甲側薬指片１１の一方の側縁とを、また、薬指用第１マチ１８側部と甲側薬指片１１の他方の側部とを、また、小指用第１マチ１９側部と甲側小指片１２の一方の側縁とを、また、小指用第２マチ２０側部と甲側小指片１２の他方の側縁とを、それぞれ縫合線２８で縫合する。
【００２０】
（工程３）図５、図７及び図８に示すように、掌側中指片４の先端より基端側を折り返し（図５、図７に鎖線で示す折り返し線２９参照）、該掌側中指片４先端の延長部４ａ，４ｂ縁を、掌側中指片１０先端縁に、また、掌側薬指片５の先端より基端側を折り返し、該掌側薬指片５先端の延長部５ａ，５ｂ縁を、掌側薬指片１１先端縁に、また、掌側小指片６の先端より基端側を折り返し、該掌側小指片６先端の延長部６ａ，６ｂ縁を、掌側小指片１２先端縁に、それぞれ縫合線３０で縫合する。
【００２１】
（工程４）掌側パーツ７と甲側パーツ１３における、人指し指部分から親指部分、手首部分へと延びる縁部どうしを縫合線３１で縫合するとともに、小指の基部から手首部分に延びる縁部どうしを縫合線３２で縫合し、縫製手袋１が完成する。
【００２２】
以上のように構成した縫製手袋１は、装着時に、中指挿入部２１、薬指挿入部２２及び小指挿入部２３に挿入した手の中指、薬指及び小指の各指先に縫合部Ａ（図４参照）が当たらず、ゴルフクラブをグリップしたときに指先が圧迫され、違和感を感じることがなく、グリップ感覚がよく、かつフィッティングも良好である。
【００２３】
なお、本発明は、上記のようなゴルフ用ではなく、野球のバッティングをする時に装着する野球用、オートバイ用などの棒状のものを握る時に装着する縫製手袋に適用してもよい。
【００２４】
また、指先端に縫合部Ａが当たらない構造は、親指挿入部２４にのみ設けてもよい。このように構成した縫製手袋は、プレイ中に、親指のフィットを必要とするクラブを使用するときに装着するゴルフ用に好適である。
【００２５】
また、指先端に縫合部Ａが当たらない構造は、親指挿入部２４及び人指し指挿入部２５のみに設けてもよい。このように構成した縫製手袋は、オートバイ用として好適である。
【００２６】
さらに、指先端に縫合部Ａが当たらない構造は、適用する対象あるいは使用者の要望に応じて、五指の各挿入部に設けてもよいほか、五指の挿入部のうち任意に選択した一つ、あるいは任意に選択した複数の挿入部に設けてもよい。
【図面の簡単な説明】
【００２７】
【図１】掌側を示す縫製手袋の斜視図。
【図２】甲側を示す縫製手袋の斜視図。
【図３】中指挿入部の側面図。
【図４】使用状態における中指挿入部の縦断端面図。
【図５】掌側パーツの正面図。
【図６】甲側パーツの正面図。
【図７】掌側パーツにマチを縫合する前の状態を示す正面図。
【図８】マチを縫合した掌側パーツと甲側パーツを縫合する前の状態を示す正面図。
【符号の説明】
【００２８】
１    縫製手袋
２    掌側親指片
３    掌側人指し指片
４    掌側中指片
４ａ、４ｂ    延長部
５    掌側薬指片
５ａ，５ｂ    延長部
６    掌側小指片
６ａ，６ｂ    延長部
７    掌側パーツ
８    甲側親指片
９    甲側人指し指片
１０    甲側中指片
１１    甲側薬指片
１２    甲側小指片
１３    甲側パーツ
１４    人指し指用マチ
１５    中指用第１マチ
１６    中指用第２マチ
１７    薬指用第１マチ
１８    薬指用第２マチ
１９    小指用第１マチ
２０    小指用第２マチ
２１    中指挿入部
２２    薬指挿入部
２３    小指挿入部
２４    親指挿入部
２５    人指し指挿入部
２６    連結片
２７    縫合線
２８    縫合線
２９    折り返し線
３０    縫合線
３１    縫合線
３２    縫合線
Ａ    縫合部
【図１】
2006070387.tif 000003
【図２】
2006070387.tif 000004
【図３】
2006070387.tif 000005
【図４】
2006070387.tif 000006
【図５】
2006070387.tif 000007
【図６】
2006070387.tif 000008
【図７】
2006070387.tif 000009
【図８】
2006070387.tif 000010